(57)【要約】【課題】本発明は、複数の定格電圧に対応可能な漏電遮断器の漏電検出装置及び漏電検出装置用の定格電圧変更アダプタに関する。【解決手段】本発明に係る、不平衡電流を検出する零相変流器２１の検出出力に基づき制御出力を発生する漏電制御部２４を備え、漏電遮断器１１１−Ａの遮断機構を駆動する電磁駆動部の引き外しコイル１１１−Ａを制御出力によりオン駆動されるサイリスタ２６を介して交流電源に接続する２００Ｖ用漏電検出装置１１−Ａは、引き外しコイル１１１−Ａと接続する一対の第１引き外しコイル用端子Ｔ３、Ｔ４と、交流電源と接続する一対の第１電源入力端子Ｔ５、Ｔ６と、引き外しコイル用端子Ｔ３、Ｔ４とサイリスタ２６との間に設けられた一対の短絡用端子Ｔ１、Ｔ２と、漏電制御部２４の駆動電流の電源入力端に設けられた、４００Ｖ用アダプタ１１−Ｂと接続するためのアダプタ用端子Ｔ７とを備える。【選択図】  図１
2004355835.tif 000002
【特許請求の範囲】
【請求項１】
主電気回路に流れる不平衡電流を検出する零相変流器の検出出力に基づいて制御出力を発生する漏電制御部を備え、漏電遮断器の遮断機構を駆動する電磁駆動部の引き外しコイルを前記漏電制御部の制御出力によりオン駆動されるスイッチ要素を介して交流電源に接続する漏電遮断器の漏電検出装置であって、
前記引き外しコイルと接続するための一対の第１引き外しコイル用端子と、
前記交流電源と接続するための一対の第１電源入力端子と、
前記一対の引き外しコイル用端子と、前記スイッチ要素との間に設けられた一対の短絡用端子と、
前記漏電制御部の駆動電流を供給するための電源入力端に設けられた、異なる定格電圧に変更するための定格電圧変更アダプタと接続するためのアダプタ用端子とを備えること
を特徴とする複数の定格電圧に対応可能な漏電遮断器の漏電検出装置。
【請求項２】
主電気回路に流れる不平衡電流を検出する零相変流器の検出出力に基づいて制御出力を発生する漏電制御部を備え、漏電遮断器の遮断機構を駆動する電磁駆動部の引き外しコイルを前記漏電制御部の制御出力によりオン駆動されるスイッチ要素を介して交流電源に接続する漏電遮断器の漏電検出装置であって、
前記引き外しコイルと接続するための一対の第１引き外しコイル用端子と、
前記交流電源と接続するための一対の第１電源入力端子と、
前記一対の引き外しコイル用端子と、前記スイッチ要素との間に設けられた一対の短絡用端子と、
前記一対の電源入力端子に供給された交流電源を前記一対の引き外しコイル用端子を介して前記漏電制御部の駆動電流を供給する電源入力端に整流して供給する整流回路とを備えること
を特徴とする複数の定格電圧に対応可能な漏電遮断器の漏電検出装置。
【請求項３】
複数の定格電圧に対応可能な漏電遮断器の漏電検出装置に接続され該漏電検出装置の定格電圧を変更する定格電圧変更アダプタであって、
前記漏電遮断器の遮断機構を駆動する電磁駆動部の引き外しコイルと接続するための一対の第２引き外しコイル用端子と、
交流電源と接続するための一対の第２電源入力端子と、
前記漏電検出装置のスイッチ要素と接続するための第１接続用端子と、
前記一対の第２電源入力端子に供給された交流電源を整流して出力する一対の第２及び第３接続用端子と、
前記引き外しコイルを前記一対の第２引き外しコイル用端子に接続した場合に該引き外しコイルと直列に接続されるように、前記一対の第２引き外しコイル用端子と前記第１接続端子との間に設けられ、前記漏電検出装置におけるスイッチ要素のオン駆動に伴ってオン駆動されるスイッチ要素とを備えること
を特徴とする定格電圧変更アダプタ。
【請求項４】
複数の定格電圧に対応可能な漏電遮断器の漏電検出装置と、
前記漏電検出装置に接続される定格電圧を変更する定格電圧変更アダプタとを備える漏電遮断器の漏電検出装置であって、
前記複数の定格電圧に対応可能な漏電遮断器の漏電検出装置は、請求項１又は請求項２に記載の漏電遮断器の漏電検出装置であり、
前記定格電圧変更アダプタは、請求項３に記載の定格電圧変更アダプタであり、
前記複数の定格電圧に対応可能な漏電遮断器の漏電検出装置と、前記定格電圧変更アダプタとを接続する端子は、リード線が接続可能であること
を特徴とする漏電遮断器の漏電検出装置。
【発明の詳細な説明】
【０００１】
【発明の属する技術分野】
本発明は、主電気回路の漏電を検出して漏電遮断器の引き外しコイルを動作させる複数の定格電圧に対応可能な漏電遮断器の漏電検出装置及び漏電検出装置の定格電圧を変更するための漏電検出装置用の定格電圧変更アダプタに関する。
【０００２】
【従来の技術】
漏電や地絡事故が発生した場合に、電線や電気機器の損傷、感電事故及び火災事故等を防止するために、一般に、電気回路に漏電遮断器が施設される。電気回路の電圧は、我国日本では、通常１００Ｖや２００Ｖであるが、大規模ビルや工場では２００Ｖ〜４００Ｖの場合もある。そのため、漏電遮断器の定格電圧は、１００Ｖ〜４００Ｖまでの範囲に対応する必要があり、それに伴い、漏電を検出して漏電遮断器の遮断機構を駆動する電磁駆動部の引き外しコイルを作動させる漏電検出装置も１００Ｖ〜４００Ｖまでの範囲に対応する必要がある。
【０００３】
この漏電検出装置は、これに使用される素子の電流許容容量やＩＣの内部構成の相違等から、一般に、定格電圧が２００Ｖ以下のものと、２００Ｖを越え４００Ｖ以下のものとが用意されており、例えば、漏電検出装置は、主電気回路に流れる不平衡電流を検出する零相変流器の検出出力に基づいて制御出力を発生する漏電制御部を備え、漏電遮断器の遮断機構を駆動する電磁駆動部の引き外しコイルを漏電制御部の制御出力によりオン駆動されるスイッチ要素を介して交流電源に接続するものが知られている（例えば、特許文献１参照）。
【０００４】
一方、複数の定格電圧に対応可能な漏電遮断器として、例えば、特許文献２に開示されている。図６は、特許文献２に記載の漏電遮断器の結線図である。図６において、特許文献２に記載の漏電遮断器３００は、動作回路３０１と電源回路３０２とに分けられ、動作回路３０１は、零相変流器（以下、「ＺＣＴ」と略記する。）３０３、増幅器３０４、サイリスタ３０５、引き外しコイル３０６、遮断部３０７等から構成され、電源回路３０２は、単相ブリッジ整流回路３０９、電源コンデンサ３１０、電流制限抵抗器３１１、３１２、電流制限回路３１９等から構成される。
【０００５】
主電気回路３０８に挿入されたＺＣＴ３０３の２次コイルは、並列接続される安定抵抗３１３と共に増幅器３０４の入力に接続される。増幅器３０４の出力は、サイリスタ３０５のゲートに接続される。サイリスタ３０５のゲートとカソードとの間には、コンデンサ３１４が接続され、アノードには、引き外しコイル３０６が接続される。また、主電気回路３０８から電流制限抵抗器３１１、３１２を介してブリッジ整流回路３０９の入力端にそれぞれ接続され、ブリッジ整流回路３０９の出力端には電流制限回路３１９を介して電源コンデンサ３１０が接続され、電源コンデンサ３１０の両端に動作回路３０１が接続されると共に、増幅器３０４に定電圧を印加するための直接接続された定電圧ダイオード（ツェナーダイオード）３１５、３１６が接続される。
【０００６】
このような構成の漏電遮断器３００では、主電気回路３０８に地絡事故等が発生すると主電気回路３０８に零相電流が生じ、これによってＺＣＴ３０３の２次コイルに電圧が発生する。発生した電圧は、増幅器３０４で増幅されてサイリスタのゲートにゲート信号として印加され、サイリスタ３０５をオン駆動する。サイリスタ３０５がオン駆動することによって引き外しコイル３０６に導通し、遮断部３０７を遮断する。そして、漏電遮断器３００は、電流制限回路３１９を構成する、定電流ダイオード３１７と定電圧ダイオード３１８との並列接続回路の数を増やすことによって広い定格電圧範囲を実現している。なお、図６では、電流制限回路３１９は、定電流ダイオード３１７ａと定電圧ダイオード３１８ａとの並列接続回路及び定電流ダイオード３１７ｂと定電圧ダイオード３１８ｂとの並列接続回路の２個の直接接続で構成されている。
【０００７】
【特許文献１】
特開平０６−０３６６７０号公報
【特許文献２】
特公平０７−０５７０６２号公報
【０００８】
【発明が解決しようとする課題】
ところで、漏電検出装置を定格電圧が２００Ｖ以下のものと、定格電圧が４００Ｖ以下のものとの２種類を用意すると、それぞれ別に設計及び生産等する必要があるため、大変煩わしいという問題がある。また、２００Ｖ以下の場合を４００Ｖ以下のもので対応しようとすると、４００Ｖ以下のものは、電流容量が大きいため、漏電検出装置自体が大型になるという問題や２００Ｖ以下のものに較べて高価であるという問題が生じる。
【０００９】
特に、我国日本では、漏電遮断器を施設する場合にその定格電圧が２００Ｖ以下のもので対応可能な場合が９０数％であるという事情がある。そのため、僅か数％のために、４００Ｖ以下のものの設計、生産ライン及び人員等を確保するのは、コスト面を考慮するとあまり得策ではない。
【００１０】
また、特許文献２に記載の漏電遮断器３００は、定格電圧が２００以下のものでも１組の定電流ダイオード３１７と定電圧ダイオード３１８とが必要であり、コスト面から不利である。特に、これは、上述した我国日本の状況下では、重要な問題となり得る。
【００１１】
本発明は、このような事情に鑑みて為された発明であり、複数の定格電圧に対応可能な漏電遮断器の漏電検出装置、及び、定格電圧を変更するための漏電検出装置用の定格電圧変更アダプタを提供することを目的とする。
【００１２】
【課題を解決するための手段】
上述の目的を達成するために、本発明の第１の手段にかかる、主電気回路に流れる不平衡電流を検出する零相変流器の検出出力に基づいて制御出力を発生する漏電制御部を備え、漏電遮断器の遮断機構を駆動する電磁駆動部の引き外しコイルを前記漏電制御部の制御出力によりオン駆動されるスイッチ要素を介して交流電源に接続する漏電遮断器の漏電検出装置は、前記引き外しコイルと接続するための一対の第１引き外しコイル用端子と、前記交流電源と接続するための一対の第１電源入力端子と、前記一対の引き外しコイル用端子と、前記スイッチ要素との間に設けられた一対の短絡用端子と、前記漏電制御部の駆動電流を供給するための電源入力端に設けられた、異なる定格電圧に変更するための定格電圧変更アダプタと接続するためのアダプタ用端子とを備える複数の定格電圧に対応可能な漏電遮断器の漏電検出装置である。
【００１３】
そして、本発明の第２の手段にかかる、主電気回路に流れる不平衡電流を検出する零相変流器の検出出力に基づいて制御出力を発生する漏電制御部を備え、漏電遮断器の遮断機構を駆動する電磁駆動部の引き外しコイルを前記漏電制御部の制御出力によりオン駆動されるスイッチ要素を介して交流電源に接続する漏電遮断器の漏電検出装置は、前記引き外しコイルと接続するための一対の第１引き外しコイル用端子と、前記交流電源と接続するための一対の第１電源入力端子と、前記一対の引き外しコイル用端子と、前記スイッチ要素との間に設けられた一対の短絡用端子と、前記一対の電源入力端子に供給された交流電源を前記一対の引き外しコイル用端子を介して前記漏電制御部の駆動電流を供給する電源入力端に整流して供給する整流回路とを備える複数の定格電圧に対応可能な漏電遮断器の漏電検出装置である。
【００１４】
また、本発明の第３の手段にかかる、複数の定格電圧に対応可能な漏電遮断器の漏電検出装置に接続され該漏電検出装置の定格電圧を変更する定格電圧変更アダプタは、前記漏電遮断器の遮断機構を駆動する電磁駆動部の引き外しコイルと接続するための一対の第２引き外しコイル用端子と、交流電源と接続するための一対の第２電源入力端子と、前記漏電検出装置のスイッチ要素と接続するための第１接続用端子と、前記一対の第２電源入力端子に供給された交流電源を整流して出力する一対の第２及び第３接続用端子と、前記引き外しコイルを前記一対の第２引き外しコイル用端子に接続した場合に該引き外しコイルと直列に接続されるように、前記一対の第２引き外しコイル用端子と前記第１接続端子との間に設けられ、前記漏電検出装置におけるスイッチ要素のオン駆動に伴ってオン駆動されるスイッチ要素とを備える。
【００１５】
第１の手段にかかる漏電検出装置は、一対の第１引き外しコイル用端子に引き外しコイルを接続し、一対の第１電源入力端子に交流電源を接続し、一対の短絡用端子を短絡することで、第１の定格電圧の漏電遮断器に適用することができる。また、第３の手段にかかる定格電圧変更アダプタの一対の第２引き外コイル用端子に引き外しコイルを接続すると共に一対の第２電源入力端子に交流電源を接続する。そして、第１の手段にかかる漏電検出装置において、一対の短絡用端子を開放してスイッチ要素に接続する短絡用端子に定格電圧変更アダプタの第１接続用端子を接続し、アダプタ用端子に定格電圧変更アダプタの第２接続用端子を接続し、一対の第１電源入力端子の一方に第３接続用端子を接続する。第１の手段にかかる漏電検出装置は、このように接続可能な各端子を備えることによって、定格電圧変更アダプタを接続することができ、第２の定格電圧の漏電遮断器に適用することができる。
【００１６】
そして、第２の手段にかかる漏電検出装置は、一対の第１引き外しコイル用端子に引き外しコイルを接続し、一対の第１電源入力端子に交流電源を接続し、一対の短絡用端子を短絡することで、第１の定格電圧の漏電遮断器に適用することができる。また、第３の手段にかかる定格電圧変更アダプタの一対の第２引き外コイル用端子に引き外しコイルを接続すると共に一対の第２電源入力端子に交流電源を接続する。そして、第２の手段にかかる漏電検出装置において、一対の短絡用端子を開放してスイッチ要素に接続する短絡用端子に定格電圧変更アダプタの第１接続用端子を接続し、一対の第１引き外しコイル用端子を短絡し、一対の第１電源入力端子に第２及び第３接続用端子をそれぞれ接続する。第２の手段にかかる漏電検出装置は、このように接続可能な各端子を備えることによって、定格電圧変更アダプタを接続することができ、第２の定格電圧の漏電遮断器に適用することができる。
【００１７】
また、定格電圧変更アダプタは、上述の各端子を備え、引き外しコイルを一対の第２引き外しコイル用端子に接続した場合にこの引き外しコイルと直列に接続されるように、一対の第２引き外しコイル用端子と前記第１接続端子との間に設けられ、漏電検出装置のスイッチ要素のオン駆動に伴ってオン駆動されるスイッチ要素を備えるので、第１又は第２の手段にかかる漏電検出装置のスイッチ要素がオン駆動された場合に定格電圧変更アダプタに接続された引き外しコイルを動作させることができ、さらに、スイッチ要素が２個直列に接続されることになるので第２の定格電圧に耐えることができる。従って、定格電圧変更アダプタは、第１又は第２の手段にかかる漏電検出装置の定格電圧を第２の定格電圧に変更することができる。
【００１８】
さらに、本発明の第４の手段にかかる、複数の定格電圧に対応可能な漏電遮断器の漏電検出装置と、前記漏電検出装置に接続される定格電圧を変更する定格電圧変更アダプタとを備える漏電遮断器の漏電検出装置は、前記複数の定格電圧に対応可能な漏電遮断器の漏電検出装置は、請求項１又は請求項２に記載の漏電遮断器の漏電検出装置であり、前記定格電圧変更アダプタは、請求項３に記載の定格電圧変更アダプタであり、前記複数の定格電圧に対応可能な漏電遮断器の漏電検出装置と、前記定格電圧変更アダプタとを接続する端子は、リード線が接続可能である。
【００１９】
このような構成の漏電遮断器の漏電検出装置は、複数の定格電圧に対応可能な漏電遮断器の漏電検出装置と定格電圧変更アダプタとをリード線で接続することができるので、複数の定格電圧に対応可能な漏電遮断器の漏電検出装置を搭載する基板と、定格電圧変更アダプタを搭載する基板とを自在に配設することができ、配電盤や分電盤等の筐体に容易に収納することができる。
【００２０】
【発明の実施の形態】
以下、本発明に係る実施形態を図面に基づいて説明する。なお、各図において同一の符号を付した構成は、同一の構成であることを示し、その説明を省略する。
（第１の実施形態）
図１は、第１の実施形態における２００Ｖ用漏電検出装置の結線図及び４００Ｖ用アダプタの結線図である。図２は、第１の実施形態における２００Ｖ用漏電検出装置を２００Ｖ用として使用する場合の結線状態を示す図である。図３は、２００Ｖ用漏電検出装置を搭載した基板と漏電遮断器と４００Ｖ用アダプタを搭載した基板との接続状態を説明するための図である。なお、図１は、第１の実施形態における２００Ｖ用漏電検出装置を４００Ｖ用として使用する場合の結線状態をも示す。
【００２１】
まず、第１の実施形態における２００Ｖ用漏電検出装置１１−Ａについて説明する。図１及び図２において、第１の実施形態における２００Ｖ用漏電検出装置１１−Ａは、主電気回路１００の不平衡電流を検出するＺＣＴ２１と、ＺＣＴ２１の検出出力に基づいて制御出力を出力する漏電制御部２４と、漏電制御部２４の制御出力によってオン駆動するスイッチ要素の一例であるサイリスタ２６と、サイリスタ２６の一方端に設けられた第１端子Ｔ１と、第１端子Ｔ１に対向する第２端子Ｔ２とからなる一対の短絡用端子Ｔ１、Ｔ２と、第２端子Ｔ２に接続された第３端子Ｔ３と、第３端子Ｔ３に対向する第４端子Ｔ４からなる、漏電遮断器１１０−Ａ（図２）の遮断機構を駆動する電磁駆動部の引き外しコイル１１１−Ａ（図２）を接続するための一対の第１引き外しコイル用端子Ｔ３、Ｔ４と、第４端子Ｔ４に接続された第５端子Ｔ５と、第５端子Ｔ５に対向する第６端子Ｔ６からなる交流電源を入力するための一対の電源入力端子Ｔ５、Ｔ６と、第２端子Ｔ２と第３端子Ｔ３との接続点と、漏電制御部２４の駆動電流を供給するための電源入力端との間に設けられた整流回路と、漏電制御部２４の電源入力端に設けられた、定格電圧を４００Ｖに変更するための４００Ｖ用アダプタ１１−Ｂと接続するためのアダプタ用端子Ｔ７とを備える。なお、本実施形態では、図２に示す漏電遮断器１１０−Ａは、定格電圧２００Ｖ用であり、図１の漏電遮断器１１０−Ｂは、定格電圧４００Ｖ用である。
【００２２】
さらに詳述すると、２００Ｖ用漏電検出装置１１−Ａにおいて、漏電制御部２４の入力端は、ＺＣＴ２１の二次コイルが接続されると共に、極性を互いに逆向きにした並列接続のダイオード２２、２３が接続される。この並列接続のダイオード２２、２３は、ＺＣＴ２１の２次出力を一定レベルにクランプする。主電気回路１００は、当該主電気回路１００の電圧に応じた定格の漏電遮断器１１０−Ａを介してＺＣＴ２１を貫通し、例えば照明器具や電動機等の負荷へ導かれる。
【００２３】
制御出力を出力する漏電制御部２４の制御出力端は、サイリスタ２６のゲートが接続される。サイリスタ２６のカソードは、一対の第１電源入力端子Ｔ５、Ｔ６における一方の第６端子Ｔ６に接続される。そして、サイリスタ２６のゲートとカソードとの間には、コンデンサ２５が接続される。サイリスタ２６のアノードは、当該２００Ｖ用漏電検出装置１１−Ａを２００Ｖ用の漏電検出装置として適用する場合に短絡されると共に当該２００Ｖ用漏電検出装置１１−Ａを４００Ｖ用の漏電検出装置として適用する場合に後述の４００Ｖ用アダプタ１１−Ｂと接続されるための、一対の短絡用端子Ｔ１、Ｔ２における一方の第１端子Ｔ１に接続される。
【００２４】
一方、一対の第１電源入力端子Ｔ５、Ｔ６間には、例えばＺＮＲのようなサージアブソーバ素子３３が接続される。この一対の第１電源入力端子Ｔ５、Ｔ６における他方の第５端子Ｔ５は、当該２００Ｖ用漏電検出装置１１−Ａを２００Ｖ用の漏電検出装置として適用する場合に、漏電遮断器１１０の引き外しコイル１１１を接続するための一対の第１引き外しコイル用端子Ｔ３、Ｔ４における一方の第４端子Ｔ４に接続される。
【００２５】
一対の第１引き外しコイル用端子Ｔ３、Ｔ４における他方の第３端子Ｔ３は、一対の短絡用端子Ｔ１、Ｔ２における他方の第２端子Ｔ２に接続される。そして、第３端子Ｔ３は、抵抗器２９−１と抵抗器２９−２とを直接に接続する直列接続抵抗回路２９を介して半波整流用のダイオード２８のアノードに接続される。また、第３端子Ｔ３（第２端子Ｔ２）と第６端子Ｔ６との間には、抵抗器３０とコンデンサ３１とを直列に接続する回路及びサージアブソーバ素子３２が接続される。
【００２６】
ダイオード２８のカソードは、漏電制御部２４の駆動電流を供給する電源入力端に接続される。さらに、ダイオード２８のカソードには、当該２００Ｖ用漏電検出装置１１−Ａを４００Ｖ用の漏電検出装置として適用するために４００Ｖ用アダプタ１１−Ｂの第２接続用端子Ｔ１６と接続するためのアダプタ用端子Ｔ７が設けられる。また、ダイオード２８のカソードと電源入力端子Ｔ６との間には、平滑用のコンデンサ２７が接続される。
【００２７】
また、第１乃至第６端子Ｔ１〜Ｔ６及びアダプタ用端子Ｔ７は、例えば、ねじ止め、圧着又ははんだ等でリード線が接続可能に構成される。
【００２８】
次に、第１の実施形態における４００Ｖ用アダプタ１１−Ｂについて説明する。図１において、４００Ｖ用アダプタ１１−Ｂは、複数の定格電圧に対応可能な漏電遮断器の漏電検出装置１１−Ａに接続され漏電検出装置１１の定格電圧を変更する定格電圧変更アダプタであって、交流電源と接続するための第１１及び第１２端子からなる一対の第２電源入力端子Ｔ１１、Ｔ１２と、漏電遮断器１１０の遮断機構を駆動する電磁駆動部の引き外しコイル１１１−Ｂと接続するための第１３及び第１４端子からなる一対の第２引き外しコイル用端子Ｔ１３、Ｔ１４と、漏電検出装置１１−Ａのスイッチ要素と接続するための第１接続用端子Ｔ１５と、一対の第２電源入力端子Ｔ１１、Ｔ１２に供給された交流電源を整流して出力する一対の第２及び第３接続用端子Ｔ１６、Ｔ１７と、引き外しコイル１１１−Ｂを一対の第２引き外しコイル用端子Ｔ１３、Ｔ１４に接続した場合に引き外しコイル１１１−Ｂと直列に接続され、漏電検出装置１１−Ａのスイッチ要素のオン駆動に伴ってオン駆動される、一対の第２引き外しコイル用端子Ｔ１３、Ｔ１４と第１接続端子Ｔ１５との間に設けられたスイッチ要素の一例であるサイリスタ４６とを備える。
【００２９】
さらに詳述すると、第１の実施形態における４００Ｖ用アダプタ１１−Ｂにおいて、交流を全波整流するブリッジ整流回路４３における正の出力端は、定電圧用のツェナーダイオード４２のカソードに接続する共に、抵抗器４１を介して、２００Ｖ用漏電検出装置１１−Ａを４００Ｖ用の漏電検出装置として適用するために当該４００Ｖ用アダプタ１１−Ｂを２００Ｖ用漏電検出装置１１−Ａに接続するための３個の接続用端子Ｔ１５、Ｔ１６、Ｔ１７における第２接続用端子Ｔ１６に接続される。そして、ブリッジ整流回路４３における負の出力端は、ツェナーダイオード４２のアノードに接続すると共に、３個の接続用端子Ｔ１５、Ｔ１６、Ｔ１７における第３接続用端子Ｔ１７に接続される。
【００３０】
一対の第２電源入力端子Ｔ１１、Ｔ１２間には、サージアブソーバ素子５４が接続される。また、この一対の第２電源入力端子Ｔ１１、Ｔ１２における一方の第１２端子Ｔ１２は、ブリッジ整流回路４３の一方の入力端に接続され、他方の第１１端子Ｔ１１は、漏電遮断器１１０−Ｂの引き外しコイル１１１−Ｂを接続するための一対の第２引き外しコイル用端子Ｔ１３、Ｔ１４における一方の第１２端子Ｔ１２に接続される。
【００３１】
一対の第２引き外しコイル用端子Ｔ１３、Ｔ１４における他方の第１４端子Ｔ１４は、サイリスタ４６のアノードが接続される。第１４端子Ｔ１４と第１２端子Ｔ１２との間には、サージアブソーバ素子５２とサージアブソーバ素子５３とを直列に接続する回路が接続される。そして、第１４端子Ｔ１４とサイリスタ４６のゲートとの間（サイリスタ４６のアノードとゲートとの間）には、抵抗器５１とコンデンサ５０と抵抗器４９とを直接に接続する回路が接続される。また、この回路におけるコンデンサ５０と抵抗器４９との接続点ａは、サージアブソーバ素子５２とサージアブソーバ素子５３との接続点に接続される。
【００３２】
そして、この接続点ａは、コンデンサ４５と抵抗器４４とを直列に接続する回路を介してブリッジ整流回路４３の他方の入力端に接続される。ここで、接続点ａには、コンデンサ４５の方が接続される。従って、第１４端子Ｔ１４は、抵抗器５１、コンデンサ５０、コンデンサ４５及び抵抗器４４を介して且つこの順でブリッジ整流回路４３の他方の入力端に接続される。
【００３３】
ここで、抵抗器５１とコンデンサ５０との直列接続回路、及び、コンデンサ４５と抵抗器４４との直列接続回路は、それぞれ電流制限回路を構成する。これら電流制限回路は、一対の引き外しコイル用端子Ｔ１３、Ｔ１４側からブリッジ整流回路４３へ流れる電流を制限することができるので、ブリッジ整流回路４３へ印加される電圧を低減することができ、高電圧が印加されることによりブリッジ整流回路４３の構成部品が損傷されるのを防止することができる。また、４００Ｖ用アダプタ１１−Ｂが２００Ｖ用漏電検出装置１１−Ａに後述のように接続された場合に、各サイリスタ２６、４６がオフする瞬間の各サイリスタ２６、４６への印加電圧をこれら電流制限回路によって低減でき、各サイリスタ２６、４６が損傷するのを防止することができる。さらに、サージアブソーバ素子５２、５３同士の接続点とこれら電流制限回路同士の接続点ａとを接続しているので、交流電源に重畳する外来サージの電圧極性がこれら電流制限回路からみて正負何れであってもサージアブソーバ素子５２、５３の電圧抑制機能によってコンデンサ５０、４４に印加される電圧が低減でき、コンデンサ５０、４４の損傷を防止することができる。
【００３４】
サイリスタ４６のカソードは、３個の接続用端子Ｔ１５、Ｔ１６、Ｔ１７における第１接続用端子Ｔ１４が接続される。そして、サイリスタ４６のゲートとカソードとの間には、コンデンサ４７と抵抗器４８とを並列に接続する回路が接続される。サイリスタ４６は、４００Ｖ用アダプタ１１−Ｂを２００Ｖ用漏電検出装置１１−Ａに接続した場合に、これら全体で構成する漏電遮断器の漏電検出装置における耐圧を向上するための素子である。
【００３５】
また、第１１乃至第１７端子Ｔ１１〜Ｔ１７は、例えば、ねじ止め、圧着又ははんだ等でリード線が接続可能に構成される。
【００３６】
このような構成の２００Ｖ用漏電検出装置１１−Ａを２００Ｖ用の漏電遮断器１１０−Ａに適用する場合には、図２に２点鎖線で及び図３に示すように、まず、漏電遮断器１１０−Ａの引き外しコイル１１１−Ａを第１引き外しコイル用端子Ｔ４、Ｔ３に接続し、一対の短絡用端子Ｔ１、Ｔ２を例えばリード線等の導線で接続することによって短絡する。そして、引き外しコイル１１１−Ａの駆動電源及び漏電制御部２４の駆動電源を得るために、一対の第１電源入力端子Ｔ５、Ｔ６には、例えば、主電気回路１００から導いた交流電源が入力される。なお、図３に示す基板１０−Ａに上述した２００Ｖ用漏電検出装置１１−Ａが実装されている。
【００３７】
通常は、第５端子Ｔ５から入力された交流電流は、引き外しコイル１１１−Ａ及び直列接続抵抗回路２９を介してダイオード２８に入力され、ダイオード２８で半波整流されて、コンデンサ２７で平滑されて、漏電制御部２４に駆動電源として供給される。この場合に引き外しコイル１１１−Ａに流れる交流電流は、漏電制御部２４を駆動させるに充分な電流が流れるだけなので、微弱で漏電遮断器１１０−Ａをトリップさせるには至らない。
【００３８】
そして、漏電遮断器１１０−Ａより負荷側の主電気回路１００に漏電や地絡事故が発生すると、主電気回路１００に零相電流が流れ、ＺＣＴ２１の２次コイルに電圧（検出出力）が発生し、発生した検出出力が漏電制御部２４に入力される。この検出出力が予め設定されている所定レベルを越えると、漏電制御部２４は、制御出力を生成し、サイリスタ２６のゲートに制御出力をゲート信号として与え、サイリスタ２６をオン駆動させる。このオン駆動により、一対の第１電源入力端子Ｔ５、Ｔ６の間には、第４端子Ｔ４、引き外しコイル１１１−Ａ、第３端子Ｔ３、第２端子Ｔ２、第１端子Ｔ１及びサイリスタ２６の回路が構成され、大きな交流電流が引き外しコイル１１１−Ａに流れて、漏電遮断器１１０−Ａをトリップさせる。
【００３９】
一方、上述の２００Ｖ用漏電検出装置１１−Ａを４００Ｖ用の漏電遮断器１１０−Ｂに適用する場合には、まず、２００Ｖ用漏電検出装置１１−Ａに４００Ｖ用アダプタ１１−Ｂを接続する。即ち、図１に２点鎖線で及び図３に示すように、４００Ｖ用アダプタ１１−Ｂの第１接続用端子Ｔ１５を２００Ｖ用漏電検出装置１１−Ａの第１端子Ｔ１に、４００Ｖ用アダプタ１１−Ｂの第２接続用端子Ｔ１６を２００Ｖ用漏電検出装置１１−Ａのアダプタ用端子Ｔ７に、そして、４００Ｖ用アダプタ１１−Ｂの第３接続用端子Ｔ１７を２００Ｖ用漏電検出装置１１−Ａの第６端子Ｔ６にそれぞれ例えばリード線等の導線で接続する。２００Ｖ用漏電検出装置１１−Ａと４００Ｖ用アダプタ１１−Ｂとは、リード線で接続されるので、それぞれの回路を搭載する各基板を自在に配設することができ、配電盤や分電盤等の筐体に収納し易くなる。
【００４０】
そして、４００Ｖ用アダプタ１１−Ｂにおいて、漏電遮断器１１０−Ｂの引き外しコイル１１１−Ｂを第２引き外しコイル用端子Ｔ１３、Ｔ１４に接続し、引き外しコイル１１１−Ｂの駆動電源及び漏電制御部２４の駆動電源を得るために、一対の第２電源入力端子Ｔ１１、Ｔ１２には、例えば、主電気回路１００から導いた交流電源が入力される。なお、図３に示す基板１０−Ｂに上述した４００Ｖ用アダプタ１１−Ｂが実装されている。
【００４１】
ここで、交流電源は、一対の第２電源入力端子Ｔ１１、Ｔ１２に入力され、直流出力が第２接続用端子Ｔ１６及び第３接続用端子Ｔ１７からアダプタ用端子Ｔ７及び第６端子Ｔ６にそれぞれ入力されるので、第５端子Ｔ５には、何も接続されない。そして、漏電遮断器１１０−Ｂの引き外しコイル１１１−Ｂは、一対の第２引き外しコイル用端子Ｔ１２、Ｔ１３に接続されるので、一対の第１引き外しコイル用端子Ｔ２、Ｔ３には、何も接続されない。さらに、第１端子Ｔ１は、第１接続用端子Ｔ１５に接続されるので、第１端子Ｔ１に対向する第２端子Ｔ２には、何も接続されない。
【００４２】
通常は、第１１端子Ｔ１１から入力された交流電流は、引き外しコイル１１１−Ｂ及び抵抗器５１とコンデンサ５０とコンデンサ４５と抵抗器４４との直列接続回路を介してブリッジ整流回路４３に入力され、ブリッジ整流回路４３で全波整流され、ツェナーダイオード４２で定電圧にされ、コンデンサ２７で平滑されて、漏電制御部２４に駆動電源として供給される。この場合に引き外しコイル１１１−Ｂに流れる交流電流は、漏電制御部２４を駆動させるのに充分な電流が流れるだけなので、微弱で漏電遮断器１１０−Ｂをトリップさせるには至らない。
【００４３】
そして、漏電遮断器１１０−Ｂより負荷側の主電気回路１００に漏電や地絡事故が発生すると、主電気回路１００に零相電流が流れ、ＺＣＴ２１の２次コイルに電圧（検出出力）が発生し、発生した検出出力が漏電制御部２４に入力される。この検出出力が予め設定されている所定レベルを越えると、漏電制御部２４は、制御出力を生成し、サイリスタ２６のゲートに制御出力をゲート信号として与え、サイリスタ２６をオン駆動させる。このオン駆動により、抵抗器４８、サイリスタ２６及びブリッジ整流回路４３を介して電流が流れ、その結果、サイリスタ４６のゲートにゲート信号が与えられてオン駆動する。
【００４４】
サイリスタ２６及びサイリスタ４６がオン駆動することにより、一対の第２電源入力端子Ｔ１１、Ｔ１２の間には、第１３端子Ｔ１３、引き外しコイル１１１−Ｂ、第１４端子Ｔ１４、サイリスタ４６、第１接続端子１５、第１端子Ｔ１及びサイリスタ２６の回路が構成され、大きな交流電流が引き外しコイル１１１−Ｂに流れて、漏電遮断器１１０−Ｂをトリップさせる。
【００４５】
ここで、サイリスタ２６は、第１接続用端子１５と第１端子Ｔ１とが接続されることによってサイリスタ４６と直列に接続されることになる。このため、印加される電圧が分圧され、サイリスタ２６は、損傷することがない。
【００４６】
このように本実施形態における２００Ｖ用漏電検出装置１１−Ａは、２００用の漏電遮断器１１０−Ａに対する漏電検出装置として適用することができ、そして、４００Ｖ用アダプタ１１−Ｂを用いることによって４００用の漏電遮断器１１０−Ｂに対する漏電検出装置として適用することができる。
【００４７】
次に、別の実施形態について説明する。
（第２の実施形態）
図４は、第２の実施形態における２００Ｖ用漏電検出装置の結線図及び４００Ｖ用アダプタの結線図である。図５は、第２の実施形態における２００Ｖ用漏電検出装置を２００Ｖ用として使用する場合の結線状態を示す図である。なお、図４は、第２の実施形態における２００Ｖ用漏電検出装置を４００Ｖ用として使用する場合の結線状態をも示す。
【００４８】
図４において、第２の実施形態における２００Ｖ用漏電検出装置１２−Ａは、主電気回路１００の不平衡電流を検出するＺＣＴ２１と、ＺＣＴ２１の検出出力に基づいて制御出力を出力する漏電制御部２４と、漏電制御部２４の制御出力によってオンするスイッチ要素の一例であるサイリスタ２６と、サイリスタ２６の一方端に設けられた第１端子Ｔ１と、第１端子Ｔ１に対向する第２端子Ｔ２とからなる一対の短絡用端子Ｔ１、Ｔ２と、第２端子Ｔ２に接続された第３端子Ｔ３と、第３端子Ｔ３に対向する第４端子Ｔ４からなる、漏電遮断器１１０−Ａの引き外しコイル１１１−Ａを接続するための一対の第１引き外しコイル用端子Ｔ３、Ｔ４と、第４端子Ｔ４に接続された第５端子Ｔ５と、第５端子Ｔ５に対向する第６端子Ｔ６からなる交流電源を入力するための一対の電源入力端子Ｔ５、Ｔ６と、第２端子Ｔ２と第３端子Ｔ３との接続点と、漏電制御部２４の駆動電流を供給するための電源入力端との間に設けられた整流回路とを備える。
【００４９】
即ち、第２の実施形態における２００Ｖ用漏電検出装置１２−Ａは、図１に示す第１の実施形態における２００Ｖ用漏電検出装置１１−Ａに対してアダプタ用端子Ｔ６を備えない点を除き、第１の実施形態における２００Ｖ用漏電検出装置１１−Ａと同様であるので、その構成の詳細な説明を省略する。
【００５０】
そして、第２の実施形態における４００Ｖ用アダプタ１２−Ｂは、図１に示す第１の実施形態における４００Ｖ用アダプタ１１−Ｂに対して、接続点ａとブリッジ整流回路４３の他方の入力端との間におけるコンデンサ４５と抵抗器４４とを直列に接続する回路を備えない点、及び、ブリッジ整流回路４３の正の出力端と第２接続用端子Ｔ１５との間における抵抗器４１を備えない点を除き、第１の実施形態における４００Ｖ用アダプタ１１−Ｂと同様であるので、その構成の詳細な説明を省略する。即ち、第２の実施形態における４００Ｖ用アダプタ１２−Ｂは、接続点ａがブリッジ整流回路４３の他方の入力端に直接接続され、ブリッジ整流回路４３の正の出力端が第２接続用端子Ｔ１５に直接接続される。
【００５１】
このような構成の２００Ｖ用漏電検出装置１２−Ａを２００Ｖ用の漏電遮断器１１０−Ａに適用する場合には、図５に２点鎖線で示すように、まず、漏電遮断器１１０−Ａの引き外しコイル１１１−Ａを第１引き外しコイル用端子Ｔ３、Ｔ４に接続し、一対の短絡用端子Ｔ１、Ｔ２を導線で接続することによって短絡する。そして、引き外しコイル１１１−Ａの駆動電源及び漏電制御部２４の駆動電源を得るために、一対の第１電源入力端子Ｔ５、Ｔ６には、例えば、主電気回路１００から導いた交流電源が入力される。
【００５２】
通常は、第５端子Ｔ５から入力された交流電流は、引き外しコイル１１１−Ａ及び直列接続抵抗回路２９を介してダイオード２８に入力され、ダイオード２８で半波整流されて、コンデンサ２７で平滑されて、漏電制御部２４に駆動電源として供給される。この場合に引き外しコイル１１１−Ａに流れる交流電流は、漏電制御部２４を駆動させるために充分な電流が流れるだけなので、微弱で漏電遮断器１１０−Ａをトリップさせるには至らない。
【００５３】
そして、漏電遮断器１１０−Ａより負荷側の主電気回路１００に漏電や地絡事故が発生すると、主電気回路１００に零相電流が流れ、ＺＣＴ２１の２次コイルに電圧（検出出力）が発生し、発生した検出出力が漏電制御部２４に入力される。この検出出力が予め設定されている所定レベルを越えると、漏電制御部２４は、制御出力を生成し、サイリスタ２６のゲートに制御出力をゲート信号として与え、サイリスタ２６をオン駆動させる。このオン駆動により、一対の第１電源入力端子Ｔ５、Ｔ６の間には、第４端子Ｔ４、引き外しコイル１１１−Ａ、第３端子Ｔ３、第２端子Ｔ２、第１端子Ｔ１及びサイリスタ２６の回路が構成され、大きな交流電流が引き外しコイル１１１−Ａに流れて、漏電遮断器１１０−Ａをトリップさせる。
【００５４】
一方、上述の２００Ｖ用漏電検出装置１２−Ａを４００Ｖ用の漏電遮断器１１０−Ｂに適用する場合には、まず、２００Ｖ用漏電検出装置１２−Ａに４００Ｖ用アダプタ１２−Ｂを接続する。即ち、図４に２点鎖線で示すように、４００Ｖ用アダプタ１２−Ｂの第１接続用端子Ｔ１５を２００Ｖ用漏電検出装置１２−Ａの第１端子Ｔ１に、４００Ｖ用アダプタ１２−Ｂの第２接続用端子Ｔ１６を２００Ｖ用漏電検出装置１２−Ａの第５端子Ｔ５に、そして、４００Ｖ用アダプタ１２−Ｂの第３接続用端子Ｔ１７を２００Ｖ用漏電検出装置１２−Ａの第６端子Ｔ６にそれぞれ例えばリード線等の導線で接続する。
【００５５】
そして、２００Ｖ用漏電検出装置１２−Ａにおいて、その一対の第１引き外しコイル用端子Ｔ３、Ｔ４を導線で接続することによって短絡する。
【００５６】
さらに、４００Ｖ用アダプタ１２−Ｂにおいて、漏電遮断器１１０−Ｂの引き外しコイル１１１−Ｂを第２引き外しコイル用端子Ｔ１３、Ｔ１４に接続し、引き外しコイル１１１−Ｂの駆動電源及び漏電制御部２４の駆動電源を得るために、一対の第２電源入力端子Ｔ１１、Ｔ１２には、例えば、主電気回路１００から導いた交流電源が入力される。
【００５７】
ここで、交流電源は、短絡用端子Ｔ１は、第１接続用端子Ｔ１４に接続されるので、短絡用端子Ｔ１に対向する短絡用端子Ｔ２には、何も接続されない。
【００５８】
通常は、第１１端子Ｔ１１から入力された交流電流は、引き外しコイル１１１−Ｂ及び抵抗器５１とコンデンサ５０との直列接続回路を介してブリッジ整流回路４３に入力され、ブリッジ整流回路４３で全波整流され、ツェナーダイオード４２で定電圧にされ、コンデンサ２７で平滑されて、漏電制御部２４に駆動電源として供給される。この場合に引き外しコイル１１１−Ｂに流れる交流電流は、漏電制御部２４を駆動させるに充分な電流が流れるだけなので、微弱で漏電遮断器１１０−Ｂをトリップさせるには至らない。
【００５９】
そして、漏電遮断器１１０−Ｂより負荷側の主電気回路１００に漏電や地絡事故が発生すると、主電気回路１００に零相電流が流れ、ＺＣＴ２１の２次コイルに電圧（検出出力）が発生し、発生した検出出力が漏電制御部２４に入力される。この検出出力が予め設定されている所定レベルを越えると、漏電制御部２４は、制御出力を生成し、サイリスタ２６のゲートに制御出力をゲート信号として与え、サイリスタ２６をオン駆動させる。このオン駆動により、抵抗器４８、サイリスタ２６及びブリッジ整流回路４３を介して電流が流れ、その結果、サイリスタ４６のゲートにゲート信号が与えられてオン駆動する。
【００６０】
サイリスタ２６及びサイリスタ４６がオン駆動することにより、一対の第２電源入力端子Ｔ１１、Ｔ１２の間には、第１３端子Ｔ１３、引き外しコイル１１１−Ｂ、第１４端子Ｔ１４、サイリスタ４６、第１接続用端子１５、第１端子Ｔ１及びサイリスタ２６の回路が構成され、大きな交流電流が引き外しコイル１１１−Ｂに流れて、漏電遮断器１１０−Ｂをトリップさせる。
【００６１】
このように本実施形態における２００Ｖ用漏電検出装置１２−Ａは、２００用の漏電遮断器１１０−Ａに対する漏電検出装置として適用することができ、そして、４００Ｖ用アダプタ１２−Ｂを用いることによって４００用の漏電遮断器１１０−Ｂに対する漏電検出装置として適用することができる。
【００６２】
【発明の効果】
以上、説明したように、本発明に係る漏電検出装置は、第１電圧用の漏電遮断器に対する漏電検出装置として適用することができ、そして、第２電圧用アダプタを用いることによって第２電圧用の漏電遮断器に対する漏電検出装置としても適用することができる。
【００６３】
特に、定格電圧２００Ｖと定格電圧４００Ｖとの場合では、２００Ｖ用漏電検出装置１１−Ａ、１２−Ａを基本とし、これを４００Ｖ用に適用する場合に４００Ｖ用アダプタ１１−Ｂ、１２−Ｂを接続することで対応可能になるので、我国日本の事情に適合している。そのため、僅か数％のために、４００Ｖ漏電検出装置に対して、設計、生産ライン及び人員等を２００Ｖ漏電検出装置と同様に確保する必要がなく、コスト的に有利である。
【図面の簡単な説明】
【図１】第１の実施形態における２００Ｖ用漏電検出装置の結線図及び４００Ｖ用アダプタの結線図である。
【図２】第１の実施形態における２００Ｖ用漏電検出装置を２００Ｖ用として使用する場合の結線状態を示す図である。
【図３】２００Ｖ用漏電検出装置を搭載した基板と漏電遮断器と４００Ｖ用アダプタを搭載した基板との接続状態を説明するための図である。
【図４】第２の実施形態における２００Ｖ用漏電検出装置の結線図及び４００Ｖ用アダプタの結線図である。
【図５】第２の実施形態における２００Ｖ用漏電検出装置を２００Ｖ用として使用する場合の結線状態を示す図である。
【図６】特許文献２に記載の漏電遮断器の結線図である。
【符号の説明】
１１−Ａ、１２−Ａ  ２００Ｖ用漏電検出装置
１１−Ｂ、１２−Ｂ  ４００Ｖ用アダプタ
２１  零相変流器
２４  漏電制御部
２６、４６  サイリスタ
２５、２７、３１、４５、５０  コンデンサ
２２、２３、２８  ダイオード
２９−１、２９−２、３０、４１、４４、４８、４９、５１抵抗器
４３  ブリッジ整流回路
１００  主電気回路
１１０  漏電遮断器
１１１  引き外しコイル
Ｔ１、Ｔ７  一対の第１電源入力端子
Ｔ２、Ｔ３  一対の第１引き外しコイル用端子
Ｔ４、Ｔ５  一対の短絡用端子
Ｔ６  アダプタ用端子
Ｔ１１、Ｔ１６  一対の第２電源入力端子
Ｔ１２、Ｔ１３  一対の第２引き外しコイル用端子
Ｔ１４、Ｔ１５、Ｔ１７  接続用端子
【図１】
2004355835.tif 000003
【図２】
2004355835.tif 000004
【図３】
2004355835.tif 000005
【図４】
2004355835.tif 000006
【図５】
2004355835.tif 000007
【図６】
2004355835.tif 000008